(57)【要約】【課題】多様な使用状況に対応でき、しかも足指およびその周辺部に対するマッサージ効果および快適性等を容易に得ることを実現可能な靴下を提供する。【解決手段】靴下１は、複数の足指を内側に収容可能なつまさき部２と、つまさき部２の底部２ｃ側の内表面２ｄ上に固着されたマッサージ用具３とを備える。マッサージ用具３は、各々がつまさき部２の底部２ｃ側から起立し、足幅方向に沿って並んで配置され、使用時に隣り合う足指間の隙間に挿入される、複数の柱状部４を有する。【選択図】図５
2020041225.tif 000002
【特許請求の範囲】
【請求項１】
複数の足指を内側に収容可能なつまさき部と、
前記つまさき部の底部側の内表面上に固着されたマッサージ用具と、を備え、
前記マッサージ用具は、各々が前記つまさき部の前記底部側から起立し、足幅方向に沿って並んで配置され、使用時に隣り合う前記足指間の隙間に挿入される、複数の柱状部を有する、
靴下。
【請求項２】
複数の前記柱状部は、前記足幅方向における両端側が後方側に位置し且つ前記足幅方向における中央側が前方側に位置する曲線に沿って並んで配置されている、
請求項１に記載の靴下。
【請求項３】
前記マッサージ用具は、表面および裏面を有するベースプレートをさらに備え、
前記ベースプレートの前記表面に複数の前記柱状部が立設されており、
前記ベースプレートの前記裏面が前記内表面上に固着されている、
請求項１または２に記載の靴下。
【発明の詳細な説明】
【技術分野】
【０００１】
本発明は、靴下に関する。
【背景技術】
【０００２】
実開平０２−１４３９２７号公報（特許文献１）に開示されているように、隣り合う足指の間の隙間に突起物を挿入することにより、足指およびその周辺部に対するマッサージ効果を得たり、足指付近の通気性を改善してユーザーに快適性を提供したりすることができることが知られている。
【０００３】
上記の公報（特許文献１）に開示された器具は、基台となるベース部と、ベース部から突出する４本の突起物とを備えており、ベース部と４本の突起部とが一体的に形成されている。この器具を足指先に装着することによって、マッサージ効果や快適性を得たりすることが可能となる。
【先行技術文献】
【特許文献】
【０００４】
【特許文献１】実開平０２−１４３９２７号公報
【発明の概要】
【発明が解決しようとする課題】
【０００５】
上記公報（特許文献１）に開示された器具の場合、上記器具を足指先に装着した状態でスリッパや靴を履くことは容易ではない。上記器具のサイズとスリッパや靴のサイズとが相互に適合していることが必要であり、マッサージ効果や快適性を家屋等の内外で容易にシームレスに実現するという点で改善の余地がある。
【０００６】
一方で、スリッパや靴そのものに、上記のような複数（たとえば４本）の突起部を設けることも考えられる。しかしながらこのような手法では、いったんスリッパや靴を脱いでしまうと、もはやマッサージ効果や快適性を得ることはできなくなり、多様な使用状況に柔軟に対応できるものではない。
【０００７】
いわゆる５本指靴下も知られている。５本指靴下は、複数のつまさき部を有しており、複数のつまさき部の一つ一つに足指先が一本ずつ挿入される。マッサージ効果や快適性を得ることはできるが、５本指靴下を履く作業および脱ぐ作業にはしばしば長大な時間がかかり、またファッション性という点で積極的に履くことは憚られるという声も聞く。
【０００８】
本発明は、上記のような実情に鑑みて創作されたものであって、多様な使用状況に対応でき、しかも足指およびその周辺部に対するマッサージ効果および快適性等を従来に比して容易に得ることを実現可能な靴下を提供することを目的とする。
【課題を解決するための手段】
【０００９】
本発明に基づく靴下は、複数の足指を内側に収容可能なつまさき部と、上記つまさき部の底部側の内表面上に固着されたマッサージ用具と、を備え、上記マッサージ用具は、各々が上記つまさき部の上記底部側から起立し、足幅方向に沿って並んで配置され、使用時に隣り合う上記足指間の隙間に挿入される、複数の柱状部を有する。
【００１０】
上記靴下において好ましくは、複数の上記柱状部は、上記足幅方向における両端側が後方側に位置し且つ上記足幅方向における中央側が前方側に位置する曲線に沿って並んで配置されている。
【００１１】
上記靴下において好ましくは、上記マッサージ用具は、表面および裏面を有するベースプレートをさらに備え、上記ベースプレートの上記表面に複数の上記柱状部が立設されており、上記ベースプレートの上記裏面が上記内表面上に固着されている。
【発明の効果】
【００１２】
上記構成を備えた靴下によれば、多様な使用状況に対応でき、しかも足指およびその周辺部に対するマッサージ効果および快適性等を容易に得ることを実現できる。
【図面の簡単な説明】
【００１３】
【図１】実施の形態１における靴下１を示す断面図である。
【図２】図１中のＩＩ−ＩＩ線に沿った矢視断面図である。
【図３】実施の形態１における靴下１の使用状態を示す断面図である。
【図４】実施の形態１における靴下１の使用状態を示す他の断面図である。
【図５】実施の形態１における靴下１の使用状態を示す斜視図である。
【図６】足および足指先の裏面側の様子を示す図である。
【図７】実施の形態２における靴下１Ａを示す断面図である。
【図８】実施の形態３における靴下１Ｂを示す斜視図である。
【発明を実施するための形態】
【００１４】
実施の形態について、以下、図面を参照しながら説明する。同一の部品および相当部品には同一の参照番号を付し、重複する説明は繰り返さない場合がある。
【００１５】
［実施の形態１］
（靴下１）
図１〜図６を参照して、実施の形態１における靴下１について説明する。図１は靴下１を示す断面図であり、図２は図１中のＩＩ−ＩＩ線に沿った矢視断面図である。
【００１６】
図１および図２に示すように、靴下１は、つまさき部２およびマッサージ用具３を備える。つまさき部２は、複数の足指を内側に収容可能ないわゆる袋状の形状を有している。靴下１には１つのつまさき部２が設けられる。つまさき部２は、先端部２ａ、上部２ｂ、および底部２ｃを有しており、先端部２ａ、上部２ｂ、および底部２ｃの内側（すなわち１つのつまさき部２の内側）に５本の足指の全部を収容可能なようにつまさき部２の材質、形状および大きさ等が設定されている。
【００１７】
マッサージ用具３は、つまさき部２の底部２ｃ側の内表面２ｄ上に固着されている。本実施の形態のマッサージ用具３は、足幅方向に沿って並んで配置された、複数の柱状部４を有している。複数の柱状部４は、つまさき部２（底部２ｃ）の内表面２ｄ上に固着されており、各々がつまさき部２の底部２ｃ側から上部２ｂ側に向かって起立している。柱状部４の軸方向（起立方向）における長さはたとえば１０ｍｍ以上２０ｍｍ以下である。柱状部４は、根元側が内表面２ｄ上に固着されて固定端とされ、先端側は上部２ｂに固定されておらず自由端とされている。
【００１８】
本実施の形態では、つまさき部２の底部２ｃ（内表面２ｄ）のうちの複数の柱状部４が設けられている領域Ｒ１（図２）は、概ね長方形の形状を有しており、足幅方向に沿って直線状（帯状）に延びている。領域Ｒ１の位置は、足指の付け根の位置に対応している。領域Ｒ１の足幅方向における幅寸法はたとえば５０ｍｍである。複数の柱状部４の各々は、たとえば可撓性（或いは弾力性）を有する素材であって、合成樹脂からなる樹脂成型体（たとえば、ポリ塩化ビニル樹脂、塩化ビニル樹脂、スチレン系エラストマー樹脂など）から成型により作製される。熱溶着および接着剤等の接合手段によって、複数の柱状部４をつまさき部２（底部２ｃ）の内表面２ｄ上に固着することができる。
【００１９】
図３および図４はいずれも靴下１の使用状態を示しており、それぞれ図１および図２に対応している。図５は靴下１の使用状態を示す斜視図である。靴下１をユーザーが装着する際には、複数の柱状部４をかき分けるようにしてユーザーの足指がつまさき部２の先端部２ａに向かって進行する。図３〜図５に示すように、使用時には（すなわち使用状態においては）、複数の柱状部４が、隣り合う足指間の隙間に挿入される。
【００２０】
足指間の隙間に挿入された複数の柱状部４の存在により、足指およびその周辺部に対するマッサージ効果を得たり、足指付近の通気性を改善してユーザーに快適性を提供したりすることが可能となる。複数の柱状部４としては、隣り合う足指間に形成される１つの隙間に２本以上の柱状部４が入り込むような本数および配置とされることが可能であり、３本以上であってもよいし、４本以上であってもよい（図５参照）。多数の柱状部４が予め靴下１の内部に設けられていることにより、靴下１を履いた際に複数本の柱状部４がユーザーの脚指先の形状に応じて最適な隙間Ｓに挿入されていくことができる。
【００２１】
靴下１を履いているユーザーは、そのままの状態で屋内等を歩いている場合であっても、スリッパ等をさらに履いた状態で屋内等を歩いている場合であっても、外出用に外履き用の靴をさらに履いた状態で歩いている場合であっても、靴下１を履いている限りにおいては上記のような効能を容易に得ることができる。すなわち、マッサージ効果や快適性を家屋等の内外で容易にシームレスに実現することが可能でき、多様な使用状況に柔軟に対応できる。
【００２２】
靴下１は、いわゆる５本指靴下とは異なり、１つのつまさき部２の内側に５本の足指の全部を収容可能であるため、５本指靴下に比べて短い時間で履く作業および脱ぐ作業を行なうことが可能であり、外観的にも通常の靴下と同様なファッション性を得ることが可能である。また、靴下１を洗濯に供することで複数の柱状部４も靴下１の一部として一体的に洗浄されることができ、衛生面に特段の問題は無く、高い利便性を得ることも可能である。
【００２３】
［実施の形態２］
図６を参照して、複数の足指の各々の付け根の位置（隙間Ｓの位置に相当）は、足幅方向に沿って略一直線上に並んでいる場合もあるし、図６に示す領域Ｒ２のように、足幅方向における両端側が後方側に位置し且つ足幅方向における中央側が前方側に位置する曲線に沿って並んでいる場合もある。
【００２４】
図７に示す靴下１Ａにおいては、上記のような場合に対応している。すなわち、実施の形態２の靴下１Ａにおいては、マッサージ用具３Ａを構成している複数の柱状部４が、足幅方向における両端側が後方側に位置し且つ足幅方向における中央側が前方側に位置する曲線に沿って並んで配置されている。換言すると、つまさき部２の底部２ｃ（内表面２ｄ）のうちの複数の柱状部４が設けられている領域Ｒ３は、実施の形態２においては、足幅方向における両端側が後方側に位置し且つ足幅方向における中央側が前方側に位置する曲線に沿って帯状に延びている。
【００２５】
このような実施の形態２の構成を有する靴下１Ａであっても、多様な使用状況に対応でき、足指間の隙間に挿入された複数の柱状部４の存在により、足指およびその周辺部に対するマッサージ効果を得たり、足指付近の通気性を改善してユーザーに快適性を提供したりすることが可能となる。
【００２６】
［実施の形態３］
図８は、実施の形態３における靴下１Ｂを示す斜視図である。靴下１Ｂは、以下の点で実施の形態１，２と相違している。すなわち、靴下１Ｂに備えられたマッサージ用具３Ｂは、表面５ａおよび裏面５ｂを有するベースプレート５をさらに備えている。ベースプレート５の表面５ａに複数の柱状部４が立設されており、ベースプレート５の裏面５ｂが、つまさき部２（底部２ｃ）の内表面２ｄ上に固着されている。
【００２７】
ベースプレート５と複数の柱状部４とは、たとえば可撓性（或いは弾力性）を有する素材であって、合成樹脂からなる樹脂成型体（たとえば、ポリ塩化ビニル樹脂、塩化ビニル樹脂、スチレン系エラストマー樹脂など）から一体的に成型される。実施の形態３においては、複数の柱状部４がベースプレート５を介してつまさき部２（底部２ｃ）の内表面２ｄに接合されている。熱溶着および接着剤等の接合手段によって、ベースプレート５をつまさき部２（底部２ｃ）の内表面２ｄ上に固着することができる。
【００２８】
このような実施の形態３の構成を有する靴下１Ｂであっても、多様な使用状況に対応でき、足指間の隙間に挿入された複数の柱状部４の存在により、足指およびその周辺部に対するマッサージ効果を得たり、足指付近の通気性を改善してユーザーに快適性を提供したりすることが可能となる。
【００２９】
また靴下１Ｂの構成によれば、複数の柱状部４を、ベースプレート５を介して一括してつまさき部２（底部２ｃ）の内表面２ｄ上に固着することができ、製作上の高い利便性が得られる。また一本一本の柱状部４が独立して内表面２ｄ上に直接固着されている場合に比べてベースプレート５を用いた方が表面積が広い分、高い接合力を得ることができ、靴下１Ｂとしての高い製品耐久性を得ることも可能である。
【００３０】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【００３１】
１，１Ａ，１Ｂ  靴下、２  つまさき部、２ａ  先端部、２ｂ  上部、２ｃ  底部、２ｄ  内表面、３，３Ａ，３Ｂ  マッサージ用具、４  柱状部、５  ベースプレート、５ａ  表面、５ｂ  裏面、Ｒ１，Ｒ２，Ｒ３  領域、Ｓ  隙間。
【図１】
2020041225.tif 000003
【図２】
2020041225.tif 000004
【図３】
2020041225.tif 000005
【図４】
2020041225.tif 000006
【図５】
2020041225.tif 000007
【図６】
2020041225.tif 000008
【図７】
2020041225.tif 000009
【図８】
2020041225.tif 000010